(57)【要約】  【課題】フィルタに捕集された塵埃をフィルタから確実に除去できる集塵カップを提供する。  【解決手段】集塵カップ本体35を通過する塵埃を捕集するプリーツ状のフィルタ51を集塵カップ本体35に取り付けた状態でフィルタ51の上流側に嵌合する凸部55により、フィルタ51で捕集した塵埃を、フィルタ51を集塵カップ本体35から取り外す際に掻き取ることで、フィルタ51から確実に除去できる。  【選択図】図１
2005218512.tif 000002
【特許請求の範囲】
【請求項１】
吸い込まれた塵埃の一部を捕集する集塵部本体と、
この集塵部本体に着脱可能に設けられ、前記集塵部本体を通過する塵埃を捕集するプリーツ状のフィルタと、
このフィルタを前記集塵部本体に取り付けた状態で前記フィルタの上流側に嵌合するとともに、前記フィルタを前記集塵部本体から取り外す際に前記フィルタに捕集された塵埃をこのフィルタから掻き取る塵埃除去部と
を具備したことを特徴とした電気掃除機の集塵装置。
【請求項２】
塵埃除去部は、フィルタの上流側に嵌合する部分の表面がしぼ加工されている
ことを特徴とした請求項１記載の電気掃除機の集塵装置。
【請求項３】
フィルタを塵埃除去部に対応して摺動させる摺動ガイド部を具備した
ことを特徴とした請求項１または２記載の電気掃除機の集塵装置。
【請求項４】
塵埃除去部は、集塵部本体の上部に設けられている
ことを特徴とした請求項１ないし３いずれか一記載の電気掃除機の集塵装置。
【請求項５】
電動送風機を収容した掃除機本体と、
この掃除機本体に設けられ、前記電動送風機の吸込側に連通する請求項１ないし４いずれか一記載の電気掃除機の集塵装置と
を具備したことを特徴とした電気掃除機。
【発明の詳細な説明】
【技術分野】
【０００１】
本発明は、吸い込まれた塵埃を捕集する電気掃除機の集塵装置およびこれを備えた電気掃除機に関する。
【背景技術】
【０００２】
従来、この種の電気掃除機は、電動送風機を収容した掃除機本体を備えている。この掃除機本体内には、電動送風機の駆動により空気とともに吸い込まれた塵埃を捕集する集塵装置が設けられている。この集塵装置は、吸気口と排気口とを有する集塵カップ本体を備えている。この集塵カップ内には、吸気口に連通しこの吸気口から吸い込んだ空気から塵埃を分離する塵埃分離部が設けられている。また、この集塵カップ内には、この塵埃分離部で分離された塵埃を集塵する集塵部が設けられている。さらに、この集塵カップには、塵埃分離部を通過した空気から塵埃を捕集するプリーツ状のフィルタが着脱可能に設けられている。このフィルタは、排気口を閉塞して設けられている。そして、このフィルタの下流側には、このフィルタに衝撃を与えてこのフィルタに付着した塵埃を落とし、このフィルタの目詰まりを解消する塵埃除去部が設けられている（例えば、特許文献１参照。）。
【特許文献１】特許第３４６１８２４号公報（第３−５頁、図５）
【発明の開示】
【発明が解決しようとする課題】
【０００３】
しかしながら、上述の電気掃除機では、例えば湿気を含み粘着性が高い塵埃、あるいは細かい繊維状の細塵が蓄積したものなどは、塵埃除去部を作動させてもフィルタから落ちにくいという問題点を有している。
【０００４】
本発明は、このような点に鑑みなされたもので、フィルタに捕集された塵埃をフィルタから確実に除去できる電気掃除機の集塵装置およびこれを備えた電気掃除機を提供することを目的とする。
【課題を解決するための手段】
【０００５】
本発明は、吸い込まれた塵埃の一部を捕集する集塵部本体に着脱可能に設けられ、集塵部本体を通過する塵埃を捕集するプリーツ状のフィルタと、このフィルタを集塵部本体に取り付けた状態でフィルタの上流側に嵌合するとともに、フィルタを集塵部本体から取り外す際にフィルタに捕集された塵埃をこのフィルタから掻き取る塵埃除去部とを具備したものである。
【発明の効果】
【０００６】
本発明によれば、集塵部本体を通過する塵埃を捕集するプリーツ状のフィルタを集塵部本体に取り付けた状態でこのフィルタの上流側に嵌合する塵埃除去部により、フィルタで捕集したた塵埃を、このフィルタを集塵部本体から取り外す際に掻き取ることで、このフィルタから確実に除去できる。
【発明を実施するための最良の形態】
【０００７】
以下、本発明の第１の実施の形態の電気掃除機の構成を図１ないし図５を参照して説明する。
【０００８】
図４および図５において、１は掃除機本体で、この掃除機本体１は、吸い込んだ吸込風に含まれる塵埃を慣性分離にて集塵する電気掃除機である。また、この掃除機本体１は、下ケース２、この下ケース２の上側に取り付けられた図示しない中ケース、この中ケースの後部を閉塞して下ケース２および中ケースに取り付けられた上ケース４、および、中ケースの前側上部を開閉可能に覆う蓋体５を備えた本体ケース６を有している。さらに、本体ケース６の中ケースと上ケース４との間には、電動送風機７が収容されている。
【０００９】
そして、下ケース２の前側には、底部に旋回輪11が旋回可能かつ回転可能に取り付けられた有底円筒状の空間であるカップ保持部12が設けられている。このカップ保持部12の上側は、蓋体５により覆われる。また、下ケース２の後側の両側には、本体ケース６の進行方向前側および後側に沿って回転可能な一対の走行輪13がそれぞれ取り付けられている。この結果、掃除機本体１が被掃除面としての床面上を走行可能となっている。
【００１０】
さらに、蓋体５の前側には、前方に向けて開口した本体吸込口14が設けられている。この本体吸込口14には、図５に示すように、可撓性を有するホース体15の基端が連通されて着脱可能に接続されている。このホース体15の先端には、電動送風機７の動作モードなどが選択可能な手元操作部16が設けられている。この手元操作部16には、掃除機本体１内の電動送風機７などの駆動状態を所定の状態に設定する複数の設定ボタン17が設けられているとともに、掃除する際に操作者が把持する把持部18が基端側に突設されている。また、この手元操作部16の先端には、伸縮可能な細長略円筒状の延長管21が着脱可能に連通接続されている。さらに、この延長管21の先端には、例えば室内の床面の絨毯などの上に設置させて、この絨毯上の塵埃を吸い込む吸込口体としての床ブラシ22が着脱可能に連通接続されている。
【００１１】
また、下ケース２と上ケース４との間には、図４に示すように、中ケースにより区画された図示しないコードリール室内に、コードリール24が収容されている。このコードリール24には、電動送風機７を駆動させる電源を外部から供給させる図示しない電源コードが巻回されている。この電源コードは、下ケース２の後部に設けられた図示しないコード口から本体ケース６の外部へと引き出し可能に導出されている。さらに、この電源コードの先端には、壁面などに設けられた図示しないコンセントに取り外し可能に差し込まれる図示しないプラグ部が設けられている。
【００１２】
また、本体ケース６の側部には、複数の排気孔25が穿設されている。
【００１３】
さらに、電動送風機７は、吸込口26と排気口27とを有し、吸込口26から吸い込んだ空気を排気口27から排気する。
【００１４】
そして、カップ保持部12には、集塵装置としての集塵カップ33が設けられている。この集塵カップ33は、集塵部本体としての集塵カップ本体35と、この集塵カップ本体35に着脱可能に設けられるフィルタ部36とを備えている。
【００１５】
集塵カップ本体35は、例えば樹脂などにより設けられ、図１および図４に示すように、外壁部41、この外壁部41の前方に突出した連通筒部42、この連通筒部42の下流側かつ外壁部41の内側に設けられた内壁部43、および、集塵カップ33を操作者が把持可能にするハンドル部44を有している。
【００１６】
外壁部41は、集塵カップ本体35の外周面を形成するもので、集塵カップ33の前側から上側および両側部に亘って連続している。また、この外壁部41は、上側が後方に向けて拡径されるとともに、後端部に電動送風機７の吸込側である吸込口26に連通する開口部45が開口形成されている。
【００１７】
連通筒部42は、パイプ状に設けられ、集塵カップ33の上側寄りの位置に前方に向けて水平に突出している。そして、この連通筒部42は、カップ保持部12に取り付けた状態で吸込側すなわち上流側が本体吸込口14に連通する。
【００１８】
内壁部43は、連通筒部42の下流側に位置した塵埃分離部46と、この塵埃分離部46の下端部から下方に向けて設けられた下側内壁部47とを備えている。
【００１９】
塵埃分離部46は、連通筒部42から空気とともに吸い込まれた塵埃を空気から分離するとともに、この塵埃の一部を捕集するもので、連通筒部42の周囲の外壁部41から連通筒部42の軸方向に沿って下流側へと縮径するように設けられた略半円筒状の縮径部46aと、この縮径部46aの下流側の端部を閉塞する閉塞壁部46bとを備え、下方に向けて屈曲されている。
【００２０】
縮径部46aは、連通筒部42から吸い込まれた空気を閉塞壁部46bへと絞って衝突させて塵埃を空気から分離するものであり、開口部45に連通する四角形状の貫通孔46cが複数穿設されている。これら貫通孔46cは、縮径部46aの周方向に互いに離間されている。そして、これら貫通孔46cには、通過する空気から塵埃を捕集するメッシュ状の分離部フィルタ46dが設けられている。
【００２１】
下側内壁部47は、塵埃分離部46の閉塞壁部46bの下端部から外壁部41へと下方に向けて拡開するように設けられ、塵埃分離部46の下方に、この塵埃分離部46で分離された塵埃を集塵する集塵部48を区画形成している。
【００２２】
ここで、この集塵部48は、下側内壁部47の前方に位置する第１の集塵部48aと、下側内壁部47の後方に位置する第２の集塵部48bとを有している。
【００２３】
第１の集塵部48aは、塵埃分離部46の下部から集塵カップ本体35の下端部に亘って設けられ、第２の集塵部48bよりも広く形成されている。
【００２４】
第２の集塵部48bは、開口部45の下端部の上流側に位置し、幅方向に離間された複数のリブ48cにより、複数に分割されている。
【００２５】
また、下側内壁部47の後部には、開口部45に連通する後部貫通孔47aが穿設されている。この後部貫通孔47aには、通過する空気から塵埃を捕集するメッシュ状の集塵部フィルタ47bが設けられている。さらに、下側内壁部47の両側部には、開口部45に連通する側部貫通孔47cが穿設されている。この側部貫通孔47cには、通過する空気から塵埃を捕集するメッシュ状の側部フィルタ47dが設けられている。
【００２６】
集塵部48の下部には、この集塵部48の第１の集塵部48aおよび第２の集塵部48bのそれぞれの下部を開閉可能にする下蓋部49が回動可能に設けられている。
【００２７】
ハンドル部44は、集塵カップ33をカップ保持部12に取り付けた状態で本体吸込口14の下方に位置している。また、このハンドル部44には、下蓋部49を開閉させる図示しない操作ボタンが設けられている。
【００２８】
そして、フィルタ部36は、図１および図４に示すように、フィルタ51と、このフィルタ51を保持する取付枠体52とを有し、開口部45に着脱可能に取り付けられてこの開口部45全体を閉塞する。
【００２９】
フィルタ51は、集塵カップ本体35の各フィルタ46d，47b，47dを通過した空気に含まれる細塵を捕集するもので、例えば紙などの部材で形成されている。また、このフィルタ51は、表面積を大きくするために掃除機本体１の前後方向に交互にフィルタ山部51aとフィルタ谷部51bとが形成され、これらフィルタ山部51aとフィルタ谷部51bとが幅方向に複数隣接してひだ状に折り畳まれたプリーツ状に形成されている。このため、フィルタ51は、幅方向に弾性的に変形可能となっている。さらに、このフィルタ51は、表面がフッ素コーディングされている。そして、このフィルタ51のフィルタ谷部51bには、フィルタ部36を集塵カップ本体35に取り付けた状態で、この集塵カップ本体35の上部に設けられた塵埃除去部としての凸部55と上流側が嵌合している。
【００３０】
ここで、凸部55は、集塵カップ本体35の開口部45の上側の縁部を、前方向に向けて鋭角状の複数の切欠部55aにより前後方向にジグザグ状に切り欠いて形成されている。したがって、これら凸部55は、掃除機本体１の後方に向けて鋭角状に形成されている。また、これら凸部55は、フィルタ51の幅方向全体と重なる幅に亘って形成され、フィルタ51の全てのフィルタ谷部51bの形状に合致するとともに、これらフィルタ谷部51bよりも若干幅広に形成されている。同時に、切欠部55aは、フィルタ51の全てのフィルタ山部51aの形状に合致している。このため、これら凸部55は、フィルタ部36を集塵カップ本体35に取り付けた状態で、先端部がフィルタ51のフィルタ谷部51bを幅方向に若干押し広げて当接し、このフィルタ51の上流側に隙間なく当接する。また、これら凸部55の先端部は、図２に示すように、表面がしぼ加工されている。
【００３１】
一方、取付枠体52は、図１および図４に示すように、フィルタ51の周囲を囲む枠状に形成され、フィルタ51の下流側から取り付けられている。このため、フィルタ51の上流側の上下端部は、開放されている。また、この取付枠体52の下端部には、フィルタ51の上流側の下端部の下方に位置する傾斜面52aが設けられている。この傾斜面52aは、下流側から上流側へと下方に向けて傾斜し、フィルタ51から落ちた塵埃をフィルタ51の上流側へと導くものである。
【００３２】
さらに、取付枠体52には、フィルタ部36と開口部45の縁部との隙間を閉塞するシールパッキン52bが取り付けられる溝部52cが設けられている。この溝部52cは、取付枠体52の両側部および下端部に亘って設けられている。そして、取付枠体52の上端部には、つまみ部52dが突設されている。このつまみ部52dは、フィルタ部36を集塵カップ本体35から取り外す際に使用されるもので、フィルタ部36を集塵カップ本体35に取り付けた状態でこの集塵カップ本体35の上方に突出している。
【００３３】
そして、フィルタ部36は、フィルタ51の上流側を凸部55に嵌合させ、集塵カップ本体35に設けられた摺動ガイド部56に沿って集塵カップ本体35の上方から下方へと摺動させることで、集塵カップ本体35に取り付けられる。
【００３４】
ここで、摺動ガイド部56は、フィルタ部36の取り付けの際に、取付枠体52の両側部に嵌合して、このフィルタ部36の摺動方向を案内するもので、開口部45の両側部の外壁部41にそれぞれ突設された突出壁部57に、上下方向に沿って細長リブ状に設けられ、開口部45の中心側に向けて突設されている。突出壁部57は、集塵カップ33を本体ケース６に取り付けた状態で、掃除機本体１の両側面の一部となるもので、外壁部41の両側面から後方に向けて突設され、外壁部41の後端部よりも若干後方に先端部が突出している。
【００３５】
また、フィルタ部36は、掃除機本体１内に設けられた図示しない隔壁に対向している。この隔壁は、電動送風機７の前方に位置し、この電動送風機７を収容する図示しない電動送風機室と、カップ保持部12とを区画するものである。また、この隔壁には、カップ保持部12と電動送風機室とを連通する複数の通気孔が格子状に穿設されている。
【００３６】
次に、上記第１の実施の形態の動作を説明する。
【００３７】
まず、集塵カップ33の集塵カップ本体35にフィルタ部36を取り付ける。
【００３８】
このとき、フィルタ部36のフィルタ51の上流側のフィルタ谷部51bを各凸部55に、フィルタ山部51aを各切欠部55aに、それぞれ上側から嵌合させつつ取付枠体52の両側部を摺動ガイド部56に嵌合させ、この摺動ガイド部56に沿って下方へ摺動させて、シールパッキン52bの下端部を開口部45の内縁部の下端部に当接させる。
【００３９】
そして、集塵カップ33をカップ保持部12に嵌合させて蓋体５を閉じた後、コードリール24から導出した電源コードを図示しないコンセントに接続し、把持部18を把持して手元操作部16の所定の設定ボタン17を押して電動送風機７を所定の状態で駆動させ、把持部18を操作して床ブラシ22を床面上で前後に走行させる。
【００４０】
電動送風機７の駆動により床ブラシ22から吸い込まれた空気は吸込風となり、塵埃とともに床ブラシ22、延長管21、ホース体15および本体吸込口14を経由して連通筒部42から集塵カップ33内へと吸い込まれる。
【００４１】
比較的質量が大きい塵埃は慣性力が大きいため、電動送風機７により発生する吸引力に抗して残りの吸込風とともに直進し、塵埃分離部46から第１の集塵部48aへと吸い込まれてこの第１の集塵部48aに集塵され、吸込風が各フィルタ47b，47dを介して開口部45へと通過する。このとき、この吸込風に含まれる細塵の一部が各フィルタ47b，47dに捕集される。
【００４２】
また、吸込風の大部分およびこの吸込風に含まれる細塵は、慣性力が小さいため、電動送風機７により発生する吸引力により塵埃分離部46の分離部フィルタ46dを通過して開口部45に至る。このとき、この吸込風に含まれる細塵の一部が分離部フィルタ46dに捕集される。
【００４３】
そして、開口部45へと至った吸込風は、フィルタ部36のフィルタ51を通過する際に、各フィルタ46d，47b，47dにより分離されなかった微細な塵埃すなわち微細塵を捕集される。
【００４４】
この後、吸込風は、吸込口26から電動送風機７内へと吸い込まれて排気風となり、排気口27を介して排気孔25から本体ケース６の外部へと排気される。
【００４５】
集塵カップ33に塵埃が所定量以上溜まった際には、蓋体５を開けて集塵カップ33を掃除機本体１から取り外した後、取付枠体52のつまみ部52dをつまみ、図３に示すように、フィルタ部36を摺動ガイド部56に沿って上方向へと摺動させる。
【００４６】
すると、各凸部55がフィルタ51の上流側のフィルタ谷部51bを幅方向に若干押し広げつつ、フィルタ51に対して相対的に下方向へと摺動し、図３に示すように、フィルタ51に捕集された塵埃Ｄが各凸部55により掻き取られ、第２の集塵部48bへと落ちる。
【００４７】
若干押し広げられたフィルタ51のフィルタ谷部51bは、凸部55が通過した後、弾性的に復帰変形する。
【００４８】
さらに、ハンドル部44の操作ボタンを操作して下蓋部49を開け、集塵部48内に溜まった塵埃を廃棄する。このとき、各フィルタ46d，47b，47dも掃除する。
【００４９】
そして、下蓋部49を閉じ、フィルタ部36を再び取り付けた後、集塵カップ33を再度掃除機本体１に装着する。
【００５０】
上述したように、上記第１の実施の形態では、プリーツ状のフィルタ51を集塵カップ本体35に取り付けた状態でこのフィルタ51の上流側に嵌合する凸部55により、フィルタ51に捕集された塵埃Ｄを、このフィルタ51を集塵カップ本体35から取り外す際に掻き取る構成とした。
【００５１】
このため、例えばフィルタの下流側に衝撃などを与えてこのフィルタに捕集された塵埃を落とす従来の場合と比較して、湿気を含み粘着性が高い塵埃、あるいは細かい繊維状の細塵が蓄積したものなどの、比較的落としにくい塵埃をも確実に除去することが可能になるので、フィルタ51に捕集された塵埃Ｄを、このフィルタ51から確実に除去できる。
【００５２】
この結果、作業者が直接フィルタ51に手で触れたりすることなくフィルタ51を凸部55で確実に掃除でき、作業者の手が汚れることなどを防止できる。
【００５３】
特に、フィルタ51はプリーツ状に形成されているので、各プリーツ間、すなわちフィルタ谷部51bに入り込んだ塵埃を除去することが容易でないが、フィルタ51のプリーツ形状に合致させた形状の凸部55にてフィルタ51のプリーツ間の塵埃を掻き取ることで、フィルタ51を容易に掃除できる。
【００５４】
また、フィルタ51の上流側に嵌合する凸部55の先端部の表面をしぼ加工することにより、フィルタ部36を摺動させる際のフィルタ51と凸部55との接触抵抗を低減でき、フィルタ51の摺動性を向上できるとともに、糸屑あるいは綿ごみなどを凸部55に設けた各しぼに引っ掛けて掻き取ることができる。
【００５５】
さらに、摺動ガイド部56でフィルタ部36を凸部55に対応させて上下方向に案内することにより、集塵カップ本体35にフィルタ部36を容易に取り付けできるとともに、フィルタ51が凸部55に食い込んで損傷することなどをも防止できる。
【００５６】
そして、凸部55を集塵カップ本体35の上部に設けることで、フィルタ部36の取り外しの際にこのフィルタ部36を上方に摺動させると、凸部55によりフィルタ51から掻き取られた塵埃が落下するので、この塵埃を、集塵カップ本体35の下部に位置した集塵部48の第２の集塵部48bに確実に集塵できる。
【００５７】
また、各凸部55をフィルタ谷部51bよりも若干幅広に形成することで、各凸部55を各フィルタ谷部51bに確実に嵌合させることができ、塵埃を含んだ空気が漏れたり、この漏れにより吸込効率が低下したりすることを防止できるとともに、フィルタ51に捕集された塵埃Ｄを各凸部55により掻き取る際には、フィルタ谷部51bを幅方向に若干押し広げることでフィルタ51を若干変形させて、フィルタ51に捕集された塵埃Ｄをフィルタ51から剥離し易くできるので、フィルタ51に捕集された塵埃Ｄを、より確実にフィルタ51から掻き取ることができる。
【００５８】
さらに、フィルタ51の表面をフッ素コーティングすることで、フィルタ51に塵埃を付着しにくくでき、かつ、フィルタ51に付着した塵埃を、凸部55で、より容易に掻き取ることができる。
【００５９】
さらに、上記の集塵カップ33を用いることで、フィルタ51の目詰まりを容易に解消できるので、使い勝手を向上できる。
【００６０】
なお、上記第１の実施の形態において、凸部55の先端部に、しぼ加工に代えてブラシ毛を植毛する構成も可能である。この場合にも、しぼ加工の場合と同様の作用効果を奏することが可能である。
【００６１】
次に、第２の実施の形態を図６を参照して説明する。なお、上記第１の実施の形態と同様の構成および作用については、同一符号を付してその説明を省略する。
【００６２】
この図６に示す実施の形態では、上記第１の実施の形態の凸部55に代えて、塵埃除去部としてのブラシ毛61が集塵カップ本体35の開口部45の上縁部に複数植毛されている。これらブラシ毛61は、可撓性を有し、かつフィルタ51よりも軟質に設けられている。さらに、これらブラシ毛61は、フィルタ51の幅寸法全体に重なる幅に亘って後方に向けて略水平に突設され、フィルタ51の各プリーツ間の上流側に隙間なく接触する。
【００６３】
そして、フィルタ部36を集塵カップ本体35に取り付けると、各ブラシ毛61が可撓変形してフィルタ51の上流側のフィルタ谷部51aに略気密な状態で嵌合して接触し、フィルタ部36を集塵カップ本体35に対して上方向に摺動させて取り外すと、これらブラシ毛61がフィルタ51に捕集された塵埃Ｄを掻き取る。この結果、上記第１の実施の形態と同様の作用効果を奏することが可能になる。
【００６４】
また、フィルタ51に捕集された塵埃Ｄを掻き取るブラシ毛61が、可撓性を有しフィルタ51よりも軟質であるため、塵埃の掻き取りの際にフィルタ51の表面を傷つけることなどを防止できるとともに、ブラシ毛61をフィルタ51のプリーツ形状に合致させずとも、これらブラシ毛61がフィルタ51の形状に対応して可撓変形するため、ブラシ毛61を集塵カップ本体35に容易に設けることができ、製造性を向上できる。
【００６５】
なお、上記各実施の形態において、集塵カップ本体35に対するフィルタ部36の取り外し方向は、凸部55、あるいはブラシ毛61などの塵埃除去部に対応して設定する。例えば、凸部55、あるいはブラシ毛61は、集塵カップ本体35の開口部45の下側の縁部に設けてもよい。この場合には、フィルタ部36を集塵カップ本体35に対して下方向に摺動させて取り外す構成とすることで、上記各実施の形態と同様の作用効果を奏することが可能になるとともに、凸部55、あるいはブラシ毛61によりフィルタ51の塵埃を掻き取る際に、これら塵埃が舞い上がることを防止できる。
【００６６】
また、集塵カップ本体35の塵埃分離部46、あるいは集塵部48などの細部は、上記構成に限定されるものではない。
【００６７】
さらに、フィルタ51に捕集された塵埃Ｄを掻き取ることができれば、塵埃除去部としては、凸部55、あるいはブラシ毛61以外にも、様々な構成とすることが可能である。
【００６８】
そして、電気掃除機の細部は、上記構成に限定されるものではない。
【００６９】
また、電気掃除機としては、キャニスタ型に限らず、床ブラシ22が掃除機本体１の下面に直接形成されたアップライト型、その他、掃除機本体１と床ブラシ22とが一体化された自走式の電気掃除機あるいはハンディ型などであっても対応させて用いることができる。
【図面の簡単な説明】
【００７０】
【図１】本発明の一実施の形態の電気掃除機の集塵装置を示す斜視図である。
【図２】同上電気掃除機の集塵装置の塵埃除去部を拡大して示す斜視図である。
【図３】同上電気掃除機の集塵装置の集塵部本体からの取り外しを示す説明図である。
【図４】同上電気掃除機の集塵装置を備えた電気掃除機の掃除機本体を示す縦断面図である。
【図５】同上電気掃除機を示す斜視図である。
【図６】本発明の第２の実施の形態の電気掃除機の集塵装置の一部を示す斜視図である。
【符号の説明】
【００７１】
１    掃除機本体
７    電動送風機
33    電気掃除機の集塵装置としての集塵カップ
35    集塵部本体としての集塵カップ本体
51    フィルタ
55    塵埃除去部としての凸部
56    摺動ガイド部
61    塵埃除去部としてのブラシ毛
【図１】
2005218512.tif 000003
【図２】
2005218512.tif 000004
【図３】
2005218512.tif 000005
【図４】
2005218512.tif 000006
【図５】
2005218512.tif 000007
【図６】
2005218512.tif 000008